(57)【要約】      （修正有）【課題】本人から生前懇意な関係にあった友人等にその死亡後において弔事後メッセージを電報配達する。【解決手段】通信網４０を介して管理機関１０のコンピュータ装置１１に対する登録申し込み、名宛人付き弔事後メッセージの送信を行なう本人２の情報作成・通信処理端末３と、コンピュータ装置１１に対する死亡連絡を行なう遺族４の情報作成・通信処理端末５と、各種情報の提供を行なうＷｅｂサーバと、本人２の会員登録、会員からの名宛人付き弔事後メッセージの記録保管、遺族４からの死亡連絡による会員の死亡確認、名宛人付き弔事後メッセージ及び電報作成依頼の通信網４０を介しての発信、弔事後メッセージに対しての課金処理を行なうコンピュータ装置１１と、名宛人付き弔事後メッセージと電報作成依頼とを通信網４０を介して電報処理機関端末３１にて受信し、弔事後メッセージ電報を作成し、名宛人６０に配達する電報処理機関３０と、を含む。【選択図】図１
2009009348.tif 000002
【特許請求の範囲】
【請求項１】
通信網を介して管理機関のコンピュータ装置に対する登録申し込み、名宛人付き弔事後メッセージの送信を行なう弔事後メッセージ委託者の情報作成・通信処理端末と、
通信網を介して管理機関のコンピュータ装置に対する当該弔事後メッセージ委託者の死亡連絡を行なう遺族の情報作成・通信処理端末と、
弔事後メッセージ委託者の登録申し込みに応じた会員登録、登録した会員からの名宛人付き弔事後メッセージの記録保管、会員遺族からの死亡連絡による当該会員の死亡確認、死亡確認後における記録保管している当該会員の名宛人付き弔事後メッセージ及び電報作成依頼の通信網を介しての発信、弔事後メッセージに対しての課金処理を行なう管理機関のコンピュータ装置と、
管理機関のコンピュータ装置からの名宛人付き弔事後メッセージと電報作成依頼とを通信網を介して電報処理機関端末にて受信し、弔事後メッセージ電報を作成し、名宛人に配達する電報処理機関と、
を含むことを特徴とする弔事後メッセージ配達システム。
【請求項２】
通信網を介して管理機関のコンピュータ装置に対する登録申し込み、名宛人付き弔事後メッセージの送信、及び、書き換えた名宛人付き弔事後メッセージの送信を行なう弔事後メッセージ委託者の情報作成・通信処理端末と、
通信網を介して管理機関のコンピュータ装置に対する当該弔事後メッセージ委託者の死亡連絡を行なう遺族の情報作成・通信処理端末と、
弔事後メッセージ委託者の登録申し込みに応じた会員登録、登録した会員からの名宛人付き弔事後メッセージの記録保管及び会員の書き換えによる名宛人付き弔事後メッセージの更新、会員遺族からの死亡連絡による当該会員の死亡確認、死亡確認後における記録保管している当該会員の名宛人付き弔事後メッセージ及び電報作成依頼の通信網を介しての発信、弔事後メッセージに対しての課金処理を行なう管理機関のコンピュータ装置と、
管理機関のコンピュータ装置からの名宛人付き弔事後メッセージと電報作成依頼とを通信網を介して電報処理機関端末にて受信し、弔事後メッセージ電報を作成し、名宛人に配達する電報処理機関と、
を含むことを特徴とする弔事後メッセージ配達システム。
【請求項３】
通信網を介して管理機関のコンピュータ装置に対する登録申し込み、名宛人付き弔事後メッセージの送信、及び、書き換えた名宛人付き弔事後メッセージの送信を行なう弔事後メッセージ委託者のパーソナルコンピュータ又は携帯電話からなる情報作成・通信処理端末と、
通信網を介して管理機関のコンピュータ装置が提供するＷｅｂサイトを通じて又は電子メールによる当該弔事後メッセージ委託者の死亡連絡を行なう遺族のパーソナルコンピュータ又は携帯電話からなる情報作成・通信処理端末と、
前記パーソナルコンピュータ又は携帯電話、電報処理機関の電報処理機関端末との間の情報通信処理を行なう通信処理手段と、弔事後メッセージに関する各種情報の提供を行なうＷｅｂサーバと、弔事後メッセージ委託者の登録申し込みに応じた会員登録処理を行なう会員登録処理手段と、登録した会員からの名宛人付き弔事後メッセージの記録処理及び会員の書き換えによる名宛人付き弔事後メッセージの更新処理を行なう弔事後メッセージ処理手段と、会員遺族からの死亡連絡による当該会員の死亡確認を行なう死亡確認手段と、死亡確認後における当該会員の名宛人付き弔事後メッセージ及び電報作成依頼の通信網を介しての発信処理を行なう弔事後メッセージ電報処理手段と、弔事後メッセージに対しての金融機関と連携した課金処理を行なう課金処理手段と、前記登録した会員情報、名宛人付き弔事後メッセージ又は書き換え後の名宛人付き弔事後メッセージ、会員の死亡確認情報を記録保管する記録手段と、を具備する管理機関のコンピュータ装置と、
管理機関のコンピュータ装置からの名宛人付き弔事後メッセージと電報作成依頼とを通信網を介して電報処理機関端末にて受信し、弔事後メッセージ電報を作成し、名宛人に配達する電報処理機関と、
を含むことを特徴とする弔事後メッセージ配達システム。
【請求項４】
通信網を介して管理機関のコンピュータ装置に対する登録申し込み、名宛人付き弔事後メッセージの送信、及び、書き換えた名宛人付き弔事後メッセージの送信を行なう弔事後メッセージ委託者のパーソナルコンピュータ又は携帯電話からなる情報作成・通信処理端末と、
当該弔事後メッセージ委託者の死亡連絡を電話網を介して行なう遺族の一般電話又は携帯電話からなる情報通信処理端末と、
前記パーソナルコンピュータ又は携帯電話、電報処理機関の電報処理機関端末との間の情報通信処理を行なう通信処理手段と、弔事後メッセージ委託者の登録申し込みに応じた会員登録処理を行なう会員登録処理手段と、登録した会員からの名宛人付き弔事後メッセージの記録処理及び会員の書き換えによる名宛人付き弔事後メッセージの更新処理を行なう弔事後メッセージ処理手段と、会員遺族からの電話による死亡連絡を受け当該会員の死亡確認を行なう管理機関側電話と、電話連絡による死亡確認後における当該会員の名宛人付き弔事後メッセージ及び電報作成依頼の通信網を介しての発信処理を行なう弔事後メッセージ電報処理手段と、弔事後メッセージに対しての金融機関と連携した課金処理を行なう課金処理手段と、前記登録した会員情報、名宛人付き弔事後メッセージ又は書き換え後の名宛人付き弔事後メッセージ、会員の死亡確認情報を記録保管する記録手段と、を具備する管理機関のコンピュータ装置と、
管理機関のコンピュータ装置からの名宛人付き弔事後メッセージと電報作成依頼とを通信網を介して電報処理機関端末にて受信し、弔事後メッセージ電報を作成し、名宛人に配達する電報処理機関と、
を含むことを特徴とする弔事後メッセージ配達システム。
【請求項５】
通信網を介して管理機関のコンピュータ装置に対する登録申し込み、遺族の氏名、電話番号等の連絡者情報の送信、名宛人付き弔事後メッセージの送信、及び、書き換えた名宛人付き弔事後メッセージの送信を行なう弔事後メッセージ委託者のパーソナルコンピュータ又は携帯電話からなる情報作成・通信処理端末と、
通信網を介して管理機関のコンピュータ装置が提供するＷｅｂサイトを通じて又は電子メールによる当該弔事後メッセージ委託者の死亡連絡を行なう遺族のパーソナルコンピュータ又は携帯電話からなる情報作成・通信処理端末と、
前記パーソナルコンピュータ又は携帯電話、電報処理機関の電報処理機関端末との間の情報通信処理を行なう通信処理手段と、弔事後メッセージに関する各種情報の提供を行なうＷｅｂサーバと、弔事後メッセージ委託者の登録申し込みに応じた会員登録処理を行なう会員登録処理手段と、登録した会員からの名宛人付き弔事後メッセージの記録処理及び会員の書き換えによる名宛人付き弔事後メッセージの更新処理を行なう弔事後メッセージ処理手段と、前記遺族の氏名、電話番号等の連絡者情報を受信し、当該遺族宛てに名宛人付き弔事後メッセージ情報の存在を示すＷｅｂ案内情報を郵送する連絡者情報処理手段と、
Ｗｅｂ案内情報にて名宛人付き弔事後メッセージ情報の存在を確認した会員遺族からの死亡連絡を受けて当該会員の死亡確認を行なう死亡確認手段と、死亡確認後における当該会員の名宛人付き弔事後メッセージ及び電報作成依頼の通信網を介しての発信処理を行なう弔事後メッセージ電報処理手段と、弔事後メッセージに対しての金融機関と連携した課金処理を行なう課金処理手段と、前記登録した会員情報、名宛人付き弔事後メッセージ又は書き換え後の名宛人付き弔事後メッセージ、会員の死亡確認情報を記録保管する記録手段と、を具備する管理機関のコンピュータ装置と、
管理機関のコンピュータ装置からの名宛人付き弔事後メッセージと電報作成依頼とを通信網を介して電報処理機関端末にて受信し、弔事後メッセージ電報を作成し、名宛人に配達する電報処理機関と、
を含むことを特徴とする弔事後メッセージ配達システム。
【請求項６】
通信網を介して管理機関のコンピュータ装置に対する登録申し込み、名宛人付き弔事後メッセージの送信、及び、書き換えた名宛人付き弔事後メッセージの送信を行なう弔事後メッセージ委託者のパーソナルコンピュータ又は携帯電話からなる情報作成・通信処理端末と、
通信網を介して管理機関のコンピュータ装置が提供するＷｅｂサイトを通じて弔事後メッセージ委託者の名簿の検索を行なうととともに、Ｗｅｂサイト又は電子メールによる当該弔事後メッセージ委託者の死亡連絡を行なう遺族のパーソナルコンピュータ又は携帯電話からなる情報作成・通信処理端末と、
前記パーソナルコンピュータ又は携帯電話、電報処理機関の電報処理機関端末との間の情報通信処理を行なう通信処理手段と、弔事後メッセージに関する各種情報の提供を行なうとともに、前記弔事後メッセージ委託者の任意意志に基づき弔事後メッセージ委託者の登録名簿をＷｅｂサイトに公開するＷｅｂサーバと、弔事後メッセージ委託者の登録申し込みに応じた会員登録処理を行なう会員登録処理手段と、登録した会員からの名宛人付き弔事後メッセージの記録処理及び会員の書き換えによる名宛人付き弔事後メッセージの更新処理を行なう弔事後メッセージ処理手段と、Ｗｅｂサイトを通じて会員である弔事後メッセージ委託者の登録名簿の検索を行い、本人確認を行なった遺族からの死亡連絡により当該会員の死亡確認を行なう死亡確認手段と、死亡確認後における当該会員の名宛人付き弔事後メッセージ及び電報作成依頼の通信網を介しての発信処理を行なう弔事後メッセージ電報処理手段と、弔事後メッセージに対しての金融機関と連携した課金処理を行なう課金処理手段と、前記登録した会員情報、名宛人付き弔事後メッセージ又は書き換え後の名宛人付き弔事後メッセージ、会員の死亡確認情報を記録保管する記録手段と、を具備する管理機関のコンピュータ装置と、
管理機関のコンピュータ装置からの名宛人付き弔事後メッセージと電報作成依頼とを通信網を介して電報処理機関端末にて受信し、弔事後メッセージ電報を作成し、名宛人に配達する電報処理機関と、
を含むことを特徴とする弔事後メッセージ配達システム。
【請求項７】
通信網を介して管理機関のコンピュータ装置に対する登録申し込み、名宛人付き弔事後メッセージの送信、及び、書き換えた名宛人付き弔事後メッセージの送信を行なう弔事後メッセージ委託者のパーソナルコンピュータ又は携帯電話からなる情報作成・通信処理端末と、
当該弔事後メッセージ委託者の死亡連絡を通信網を介して行なう遺族の通信端末と、
前記パーソナルコンピュータ又は携帯電話との間の情報通信処理を行なう通信処理手段と、弔事後メッセージ委託者の登録申し込みに応じた会員登録処理を行なう会員登録処理手段と、登録した会員からの名宛人付き弔事後メッセージの記録処理及び会員の書き換えによる名宛人付き弔事後メッセージの更新処理を行なう弔事後メッセージ処理手段と、
会員遺族からの通信端末による死亡連絡を受け当該会員の死亡確認を行なう死亡確認手段と、
死亡確認後における当該会員の名宛人付き弔事後メッセージを記録した記録媒体を作成する記録媒体作成手段と、
作成した記録媒体の名宛人への発送依頼を行う弔事後メッセージ発送依頼手段と、
弔事後メッセージに対しての金融機関と連携した課金処理を行なう課金処理手段と、
前記登録した会員情報、名宛人付き弔事後メッセージ又は書き換え後の名宛人付き弔事後メッセージ、会員の死亡確認情報を記録保管する記録手段と、
を具備する管理機関のコンピュータ装置と、
管理機関のコンピュータ装置からの発送依頼に基づき前記記録媒体を名宛人に配達する配達報処理機関と、
を含むことを特徴とする弔事後メッセージ配達システム。
【発明の詳細な説明】
【技術分野】
【０００１】
本発明は、弔事後メッセージ配達システムに関し、詳しくは、生前懇意な関係にあった友人等に本人死亡後に感謝文等の弔事後メッセージを電報配達するようにした弔事後メッセージ配達システムに関するものである。
【背景技術】
【０００２】
人が死を迎えるにあたって、懇意な関係にあった友人、親戚等に生前世話になった種々の事項に関して死後に感謝の意を伝えたいという要望が強いことは当然である。他方、生身の人間としては何時事故や急病で死亡するか計り知れないことも事実である。
【０００３】
本人死亡後に伝言等のメッセージを生前懇意な関係にあった友人等に配信するようにしたシステムとして下記特許文献１、２に開示したものが白け知られている。
【０００４】
特許文献１には、予め依頼人が発信した受取人あての伝言や遺言を記録保管し、依頼人があらかじめ指定していた将来の指定日が到来した時、又は依頼人の痴呆や死亡が現況調査メールによる現況調査によって確認された時、前記伝言や遺言を受取人あてに送信、又は郵送するように構成したタイムカプセル式伝言・遺言管理ビジネスが提案されている。
【０００５】
特許文献２には、インターネットを用いて申込者の遺言メッセージを配信する遺言配信サービスシステムであって、申込者の遺言メッセージを記録保管する記録手段と、申込者からのメールによる応答を受けるか否かによっての生存確認を行う生存確認手段と、申込者の生存が確認できなくなったときに記録手段から遺言メッセージを読み出し被配信者に配信する遺言メッセージ配信手段と、を備えた遺言配信サービスシステムが提案されている。
【０００６】
しかし、上述した特許文献１、２に開示されたシステムは、いずれも本人の死亡確認を、インターネットを利用したメール交信により行なうものであり、このため、本人が死亡しないまでもメール送信処理をし得ない状況に至った場合においても、本人死亡と判断され遺言メッセージ等が受取人に配信されてしまうという不確実性が存在している。
【特許文献１】特開２００２−３４２４７４号公報
【特許文献２】特開２００５−１４１６０７号公報
【発明の開示】
【発明が解決しようとする課題】
【０００７】
本発明が解決しようとする問題点は、厳格な確実性をもって死亡した本人から生前懇意な関係にあった友人等にその死亡後において感謝文等の弔事後メッセージを電報配達するようなシステムが存在しない点である。
【課題を解決するための手段】
【０００８】
本発明の弔事後メッセージ配達システムは、通信網を介して管理機関のコンピュータ装置に対する登録申し込み、名宛人付き弔事後メッセージの送信を行なう弔事後メッセージ委託者の情報作成・通信処理端末と、通信網を介して管理機関のコンピュータ装置に対する当該弔事後メッセージ委託者の死亡連絡を行なう遺族の情報作成・通信処理端末と、弔事後メッセージ委託者の登録申し込みに応じた会員登録、登録した会員からの名宛人付き弔事後メッセージの記録保管、会員遺族からの死亡連絡による当該会員の死亡確認、死亡確認後における記録保管している当該会員の名宛人付き弔事後メッセージ及び電報作成依頼の通信網を介しての発信、弔事後メッセージに対しての課金処理を行なう管理機関のコンピュータ装置と、管理機関のコンピュータ装置からの名宛人付き弔事後メッセージと電報作成依頼とを通信網を介して電報処理機関端末にて受信し、弔事後メッセージ電報を作成し、名宛人に配達する電報処理機関と、を含むことを最も主要な特徴とする。
【発明の効果】
【０００９】
請求項１記載の発明によれば、死亡した弔事後メッセージ委託者（本人）から生前懇意な関係にあった知人等のような名宛人にその死亡後において感謝文等を厳格な確実性をもって電報にて配達することができ、また、名宛人においても、電報の紙面に記載された弔事後メッセージを直ちに視覚にて読み込み故人を偲ぶことができる弔事後メッセージ配達システムを提供することができる。
【００１０】
請求項２記載の発明によれば、請求項１記載の発明の効果を奏することに加え、死を迎える本人の思考の変化に対応して弔事後メッセージを書き換えることができる弔事後メッセージ配達システムを提供することができる。
【００１１】
請求項３記載の発明によれば、本人、遺族が、パーソナルコンピュータ又は携帯電話を使用する構成で、また、管理機関のコンピュータ装置が前記各要素を含む構成で、請求項２記載の発明と同様、死亡した弔事後メッセージ委託者（本人）から生前懇意な関係にあった知人等のような名宛人にその死亡後において感謝文等を厳格な確実性をもって電報にて配達することができ、また、名宛人においても、電報の紙面に記載された弔事後メッセージを直ちに視覚にて読み込み故人を偲ぶことができ、更に、死を迎える本人の思考の変化に対応して弔事後メッセージを書き換えることができる弔事後メッセージ配達システムを提供することができる。
【００１２】
請求項４記載の発明によれば、遺族が、電話による死亡連絡を行なう構成で、また、管理機関のコンピュータ装置が前記各要素を含み、かつ、遺族からの電話連絡を受ける構成で、請求項３記載の発明と同様、死亡した弔事後メッセージ委託者（本人）から生前懇意な関係にあった知人等のような名宛人にその死亡後において感謝文等を厳格な確実性をもって電報にて配達することができ、また、名宛人においても、電報の紙面に記載された弔事後メッセージを直ちに視覚にて読み込み故人を偲ぶことができ、更に、死を迎える本人の思考の変化に対応して弔事後メッセージを書き換えることができる弔事後メッセージ配達システムを提供することができる。
【００１３】
請求項５記載の発明によれば、弔事後メッセージ委託者が弔事後メッセージの送信に加えて、遺族の氏名、電話番号等の連絡者情報を送信する構成で、また、管理機関のコンピュータ装置が前記各要素を含み、かつ、遺族の氏名、電話番号等の連絡者情報を受信し、当該遺族宛てに名宛人付き弔事後メッセージ情報の存在を示すＷｅｂ案内情報を郵送する構成で、当該遺族に本人の名宛人付き弔事後メッセージの存在を認識させ、これにより請求項３記載の発明と同様、死亡した弔事後メッセージ委託者（本人）から生前懇意な関係にあった知人等のような名宛人にその死亡後において感謝文等を厳格な確実性をもって電報にて配達することができ、また、名宛人においても、電報の紙面に記載された弔事後メッセージを直ちに視覚にて読み込み故人を偲ぶことができ、更に、死を迎える本人の思考の変化に対応して弔事後メッセージを書き換えることができる弔事後メッセージ配達システムを提供することができる。
【００１４】
請求項６記載の発明によれば、弔事後メッセージ委託者の任意意志に基づき弔事後メッセージ委託者の登録名簿をＷｅｂサイトに公開し、遺族によるパーソナルコンピュータ又は携帯電話による検索によって当該遺族に本人の名宛人付き弔事後メッセージの存在を認識させ、これにより本人が遺族に前もって連絡していない場合においても、請求項３記載の発明と同様、死亡した弔事後メッセージ委託者（本人）から生前懇意な関係にあった知人等のような名宛人にその死亡後において感謝文等を厳格な確実性をもって電報にて配達することができ、また、名宛人においても、電報の紙面に記載された弔事後メッセージを直ちに視覚にて読み込み故人を偲ぶことができ、更に、死を迎える本人の思考の変化に対応して弔事後メッセージを書き換えることができる弔事後メッセージ配達システムを提供することができる。
【００１５】
請求項７記載の発明によれば、請求項３記載の発明の場合と略同様な構成の基に、死亡した本人から生前懇意な関係にあった知人等のような名宛人に対して、確実にテキスト文字や画像を含む名宛人付き弔事後メッセージを記録した記録媒体を届けることができ、受け取った名宛人はその記録媒体に基づき視覚にて故人のメッセージや画像を偲ぶことができるとともに、永く保存して故人を思い返すこともできる弔事後メッセージ配達システムを提供することができる。そして、名宛人付き弔事後メッセージを記録した記録媒体を受け取った名宛人が遺族である場合には、死亡した本人からの感謝の言葉や死亡後の故人の意思等を表示して遺族に伝言することができる。
【発明を実施するための最良の形態】
【００１６】
本発明は、厳格な確実性をもって死亡した本人から生前懇意な関係にあった友人等にその死亡後において感謝文等の弔事後メッセージを電報配達し得る弔事後メッセージ配達システムを提供するという目的を、通信網を介して管理機関のコンピュータ装置に対する登録申し込み、名宛人付き弔事後メッセージの送信、及び、書き換えた名宛人付き弔事後メッセージの送信を行なう弔事後メッセージ委託者のパーソナルコンピュータ又は携帯電話からなる情報作成・通信処理端末と、通信網を介して管理機関のコンピュータ装置が提供するＷｅｂサイトを通じて又は電子メールによる当該弔事後メッセージ委託者の死亡連絡を行なう遺族のパーソナルコンピュータ又は携帯電話からなる情報作成・通信処理端末と、
前記パーソナルコンピュータ又は携帯電話、電報処理機関の電報処理機関端末との間の情報通信処理を行なう通信処理手段と、弔事後メッセージに関する各種情報の提供を行なうＷｅｂサーバと、弔事後メッセージ委託者の登録申し込みに応じた会員登録処理を行なう会員登録処理手段と、登録した会員からの名宛人付き弔事後メッセージの記録処理及び会員の書き換えによる名宛人付き弔事後メッセージの更新処理を行なう弔事後メッセージ処理手段と、会員遺族からの死亡連絡による当該会員の死亡確認を行なう死亡確認手段と、死亡確認後における当該会員の名宛人付き弔事後メッセージ及び電報作成依頼の通信網を介しての発信処理を行なう弔事後メッセージ電報処理手段と、弔事後メッセージに対しての金融機関と連携した課金処理を行なう課金処理手段と、前記登録した会員情報、名宛人付き弔事後メッセージ又は書き換え後の名宛人付き弔事後メッセージ、会員の死亡確認情報を記録保管する記録手段と、を具備する管理機関のコンピュータ装置と、管理機関のコンピュータ装置からの名宛人付き弔事後メッセージと電報作成依頼とを通信網を介して電報処理機関端末にて受信し、弔事後メッセージ電報を作成し、名宛人に配達する電報処理機関と、を含む構成により実現した。
【実施例】
【００１７】
以下に、本発明の実施例に係る弔事後メッセージ配達システムについて図面を参照して詳細に説明する。
【００１８】
（実施例１）
本実施例１に係る弔事後メッセージ配達システム１は、図１に示すように、インターネット網等の通信網４０に対して、弔事後メッセージ委託者（以下「本人」という）２の情報作成・通信処理端末３と、本人２の親族等からなる遺族４の情報作成・通信処理端末５と、詳細は後述するが本実施例１に係る名宛人付き弔事後メッセージの管理を行なう管理機関１０のコンピュータ装置１１と、例えば郵便局のような名宛人６０に対する電報配達を行なう電報処理機関３０の電報処理機関端末３１とを接続して弔事後メッセージに関する種々の処理を行なうように構成している。
【００１９】
前記名宛人付き弔事後メッセージとしては、懇意にしていた友人、知人、親戚等に対する感謝状、お別れの言葉等を挙げることができ、また、文言のみならず本人２の画像等を組み合わせたものでもよい。
【００２０】
また、前記コンピュータ装置１１と金融機関５０の金融機関端末５１とをインターネット等の通信網４１を介して接続し、名宛人付弔事後メッセージに対しての金融機関５０と連携した課金処理を行なうように構成している。
【００２１】
前記本人２の情報作成・通信処理端末３は、パーソナルコンピュータ又は携帯電話が使用される。同様に、遺族４の情報作成・通信処理端末５もパーソナルコンピュータ又は携帯電話が使用される。
【００２２】
前記通信網４０としては、インターネット網、携帯電話網、又はこれらが組み合わされた通信網が使用される。
【００２３】
次に、前記管理機関１０のコンピュータ装置１１について、図２を参照して詳述する。
【００２４】
前記コンピュータ装置１１は、前記情報作成・通信処理端末３、５、前記電報処理機関３０の電報処理機関端末３１との間の情報通信処理を行なう通信処理手段１２と、本人２の情報作成・通信処理端末３に対してブラウザ機能により所要の情報を提供し本人２の登録申し込みに応じた会員登録処理を行ない、ＩＤ、パスワードを本人２に発行する会員登録処理手段１３と、弔事後メッセージ処理に関する各種情報を提供するＷｅｂサーバ２４と、登録した会員からの図３に示すような内容の名宛人付き弔事後メッセージの記録処理及び会員の書き換えによる名宛人付き弔事後メッセージの更新処理を行なう弔事後メッセージ処理手段１４と、会員の遺族４の情報作成・通信処理端末５からの死亡連絡による当該会員の死亡確認を行なう死亡確認手段１５と、死亡確認後における当該会員の名宛人付き弔事後メッセージ及び電報作成依頼の通信網４０を介しての発信処理を行なう弔事後メッセージ電報処理手段１６と、金融機関５０と連携し、前記弔事後メッセージに対して、例えば一件毎に所定の金額（１５００円等）の課金処理を例えば本人２のクレジットカード情報収集により行なう課金処理手段１７と、前記登録した会員情報、名宛人付き弔事後メッセージ又は書き換え後の名宛人付き弔事後メッセージ、会員の死亡確認情報を記録保管する記録手段１８と、これら各要素を接続するＬＡＮ等の装置内通信網１９と、を有している。
【００２５】
前記通信処理手段１２は、前記情報作成・通信処理端末３、５や、電報処理機関３０の電報処理機関端末３１の種類に応じた通信プロトコル（インターネットプロトコル：ＨＴＭＬ等、携帯電話プロトコル：コンパクトＨＴＭＬ等）変換を行なって、このコンピュータ装置１１と前記各要素との情報交信を行なう。
【００２６】
前記記録手段１８は、登録した会員情報を記録する会員情報データベース２０、名宛人付き弔事後メッセージ又は書き換え後の名宛人付き弔事後メッセージを記録する名宛人付き弔事後メッセージデータベース２１、会員の死亡確認情報を記録する死亡確認情報データベース２２、及びこれらを制御するデータベース制御手段２３を有している。
【００２７】
図３は、名宛人付き弔事後メッセージの内容の一例を示すもので、電報配達すべき名宛人氏名、弔事後メッセージ本文、年月日、本人氏名等の情報からなるものである。前記弔事後メッセージ本文は、本人２が文字数に制限されることなく作成することができ、また、図示しないが本人２の姿等の画像を含ませることも可能である。
【００２８】
次に、本実施例１に係る弔事後メッセージ配達システム１の具体的処理態様について図４をも参照して説明する。
【００２９】
本実施例１に係る弔事後メッセージ配達システム１において、管理機関１０におけるコンピュータ装置１１の会員登録処理手段１３は、通信網４０を介して本人２の情報作成・通信処理端末３に対してブラウザ機能により会員登録に必要な氏名、住所、クレジトカードの番号収集等のための所要の情報を例えばＷｅｂサイトを通じて提供する。
【００３０】
本人２は、情報作成・通信処理端末３にて氏名、住所、クレジトカードの番号等を入力し、通信網４０を介してコンピュータ装置１１の会員登録処理手段１３に送信する。
【００３１】
これにより、会員登録処理手段１３は、本人２の氏名、住所、クレジトカードの番号等を会員情報データベース２０に送り記録保管して会員登録処理を行なうとともに、本人２に対して、ＩＤ、パスワードを発行する。
【００３２】
次に、会員である本人２は、情報作成・通信処理端末３を操作し、図３に示すような内容の名宛人付き弔事後メッセージを作成し、通信網４０を介してコンピュータ装置１１に送信する。
【００３３】
コンピュータ装置１１における弔事後メッセージ処理手段１４は、会員である本人２からの名宛人付き弔事後メッセージを受信し、名宛人付き弔事後メッセージデータベース２１に記録保管する。
【００３４】
この後、本人２が一旦コンピュータ装置１１に送信した名宛人付き弔事後メッセージの内容、特にメッセージ本文の内容を書き換えたいと欲する場合には、情報作成・通信処理端末３を操作し、コンピュータ装置１１の名宛人付き弔事後メッセージデータベース２１にアクセスして記録済みの名宛人付き弔事後メッセージを読み出し、書き換え編集した後通信網４０を介してコンピュータ装置１１に送信する。
【００３５】
書き換え編集後の名宛人付き弔事後メッセージはデータベース制御手段２３の制御の基に名宛人付き弔事後メッセージデータベース２１に送られ、名宛人付き弔事後メッセージの更新記録が行なわれる。
【００３６】
次に、前記本人２が老衰等で死亡した場合には、例えば予め名宛人付き弔事後メッセージに関して知らされていた遺族４は、本人２の死亡を病院等で知った段階でパーソナルコンピュータ又は携帯電話からなる情報作成・通信処理端末３を操作し、例えばパーソナルコンピュータによる電子メールにより、又は、携帯電話による電子メールにより通信網４０を介してコンピュータ装置１１に死亡連絡を行なう。コンピュータ装置１１が提供するＷｅｂサイトを通じて死亡連絡を行なうことももちろん可能である。
【００３７】
コンピュータ装置１１の死亡確認手段１５は、遺族４からの死亡連絡を受信すると、当該本人２が死亡したものと判断し、その死亡確認情報を死亡確認情報データベース２２に記録する。この場合、本人２の死亡確認は、遺族４との電話による確認、遺族４からの郵便による死亡通知書の提出等の他の手段を併せて行ない死亡確認の万全を期するようにしてもよい。
【００３８】
次に、弔事後メッセージ電報処理手段１６は、死亡確認手段１５による本人２の死亡確認に基づいて、当該本人２の名宛人付き弔事後メッセージを前記名宛人付き弔事後メッセージデータベース２１から読み出し、この名宛人付き弔事後メッセージ及び電報作成依頼を通信網４０を介して前記電報処理機関３０の電報処理機関端末３１に送信する。
【００３９】
電報処理機関３０においては、電報処理機関端末３１が前記名宛人付き弔事後メッセージ及び電報作成依頼を受信したことを確認して、直ちに図３に示すような内容の名宛人付き弔事後メッセージ電報を作成し、名宛人６０に配達する。
【００４０】
本人２がコンピュータ装置１１に宛先の異なる複数の名宛人付き弔事後メッセージを委託した場合には、個々の名宛人付き弔事後メッセージに関して上述した場合と同様な処理が実行される。
【００４１】
また、コンピュータ装置１１の課金処理手段１７は、金融機関５０と連携し、本人２の生前において会員情報データベース２０に記録した本人２のクレジットカード情報を基に弔事後メッセージに対して、一件毎に所定の金額（１５００円等）の課金処理を行ない所定の金額を徴収する。
【００４２】
本人２がコンピュータ装置１１に複数の名宛人付き弔事後メッセージを委託する場合には、各名宛人付き弔事後メッセージ毎に課金処理が行なわれる。
【００４３】
このようにして、本実施例１に係る弔事後メッセージ配達システム１によれば、本人２が生前の適当な時機に作成した名宛人付き弔事後メッセージを管理機関１０のコンピュータ装置１１に記録保管しておき、本人２の遺族４からの死亡連絡を受けて本人死亡を確認し、電報処理機関３０を通じて名宛人６０に名宛人付き弔事後メッセージ電報を配達するものであるから、死亡した本人２から生前懇意な関係にあった知人等のような名宛人６０にその死亡後において感謝文等を厳格な確実性をもって電報にて配達することができ、誤って生前に名宛人付き弔事後メッセージ電報が配達されるというような不都合を無くすことができる。
【００４４】
また、電報を受け取った名宛人６０においても、電報の紙面に記載された弔事後メッセージを直ちに視覚にて読み込み故人を偲ぶことができるとともに、永く保存して故人を思い返すこともできる。
【００４５】
更に、本人２は、生前において随時コンピュータ装置１１に記録した名宛人付き弔事後メッセージの内容を書き換えることができ、死を迎える本人２の思考の変化にも対応することができる弔事後メッセージ配達システム１とすることができる。
【００４６】
（実施例２）
本発明の実施例２に係る弔事後メッセージ配達システム１Ａについて、図５を参照して説明する。
【００４７】
本実施例２に係る弔事後メッセージ配達システム１Ａは、基本的構成は図１、図２に示す実施例１に係る弔事後メッセージ配達システム１の場合と略同様であるが、実施例１の構成に加えて、遺族４が一般電話６１又は携帯電話６２からなる情報通信処理端末を使用して電話網（一般電話網又は携帯電話網）６３を介してコンピュータ装置１１側に備えた管理機関側電話２５に本人２の死亡連絡を行なうようにした点が特徴である。この他の構成は実施例１の場合と同様である。
【００４８】
すなわち、前記本人２が老衰等で死亡した場合には、例えば予め名宛人付き弔事後メッセージに関して知らされていた遺族４が管理機関側電話２５に本人２の死亡連絡を行なうようにしたものである。本実施例２において死亡連絡以外の処理の流れは実施例１の場合と同様である。
【００４９】
本実施例２に係る弔事後メッセージ配達システム１Ａによれば、遺族４が、電話（一般電話６１又は携帯電話６２）による死亡連絡を行なう構成とし、また、管理機関１０側において管理機関側電話２５にて遺族からの電話連絡を受ける構成の基に、実施例１に係る弔事後メッセージ配達システム１の場合と同様、死亡した本人２から生前懇意な関係にあった知人等のような名宛人６０にその死亡後において感謝文等を厳格な確実性をもって電報にて配達することができ、誤って生前に名宛人付き弔事後メッセージ電報が配達されるというような不都合を無くすことができる。
【００５０】
また、電報を受け取った名宛人６０においても、電報の紙面に記載された弔事後メッセージを直ちに視覚にて読み込み故人を偲ぶことができるとともに、永く保存して故人を思い返すこともできる。
【００５１】
（実施例３）
本実施例３に係る弔事後メッセージ配達システム１Ｂについて、図６、図７を参照して説明する。
【００５２】
本実施例３に係る弔事後メッセージ配達システム１Ｂは、基本的構成は図１、図２に示す実施例１に係る弔事後メッセージ配達システム１の場合と略同様であるが、実施例１の構成に加えて、本人２の情報作成・通信処理端末３から、前記各情報に加えて、図７に示すように遺族（配偶者、親又は子等）４の氏名、住所、電話番号等の連絡者情報をもコンピュータ装置１１に送信するようにしたこと、管理機関１０のコンピュータ装置１１に、図６に示すように前記遺族の氏名、電話番号等の連絡者情報を受信し、当該遺族宛てに名宛人付き弔事後メッセージ情報の存在を示すＷｅｂ案内情報（例えば管理画面ＩＤ、パスワード等）を記載した手紙を郵送する連絡者情報処理手段２６を付加した構成を含むものとしたことが特徴である。この他の構成は実施例１の場合と同様である。
【００５３】
本実施例３に係る弔事後メッセージ配達システム１Ｂによれば、本人２が弔事後メッセージ等の送信に加えて、遺族の氏名、電話番号等の連絡者情報をコンピュータ装置１１に送信し、コンピュータ装置１１における連絡者情報処理手段２６によって当該遺族宛てに名宛人付き弔事後メッセージ情報の存在を示すＷｅｂ案内情報を記載した手紙を郵送するものであるから、当該遺族４は前記書面にて本人の名宛人付き弔事後メッセージの存在を認識することができ、必要に応じて図７に示すようにＷｅｂ案内情報を基に弔事後メッセージの存在確認を行なってコンピュータ装置１１に死亡連絡を行なうことができる。この他の処理の流れは実施例１の場合と同様である。尚、本人２の死亡連絡は、実施例２の場合のように電話連絡とすることももちろん可能である。
【００５４】
本実施例３に係る弔事後メッセージ配達システム１Ｂによれば、実施例１に係る弔事後メッセージ配達システム１の場合と同様、死亡した本人２から生前懇意な関係にあった知人等のような名宛人６０にその死亡後において感謝文等を厳格な確実性をもって電報にて配達することができ、誤って生前に名宛人付き弔事後メッセージ電報が配達されるというような不都合を無くすことができる。
【００５５】
また、電報を受け取った名宛人６０においても、電報の紙面に記載された弔事後メッセージを直ちに視覚にて読み込み故人を偲ぶことができるとともに、永く保存して故人を思い返すこともできる。
【００５６】
（実施例４）
本発明の実施例４に係る弔事後メッセージ配達システム１Ｃについて、図８を参照して説明する。
【００５７】
本実施例４に係る弔事後メッセージ配達システム１Ｃは、基本的構成は図１、図２に示す実施例１に係る弔事後メッセージ配達システム１の場合と略同様であるが、図８に示すように、前記Ｗｅｂサーバ２４が多数の弔事後メッセージ委託者からの弔事後メッセージの委託を処理する場合において、個々の本人２の任意意志に基づき当該本人２の登録名簿（氏名、住所等）をＷｅｂサイトに公開するようにしたこと、遺族４がＷｅｂサイトを通じて本人２が掲載された登録名簿の検索を行ない、当該本人２の弔事後メッセージの存在を確認するようにしたことが特徴である。この他の構成は実施例１の場合と同様である。尚、本人２のＷｅｂサイト公開に関する任意意志情報は、登録申し込みの際に本人２から併せて収集するものである。
【００５８】
本実施例４に係る弔事後メッセージ配達システム１Ｃによれば、本人２が管理機関１０に委託した弔事後メッセージの存在を、遺族４が本人２の任意意志に基づいて公開されるＷｅｂサイト上の登録名簿を検索して認識でき、これを基に、本人が遺族に前もって連絡していない場合においても、コンピュータ装置１１に死亡連絡を行なうことができる。この他の処理の流れは実施例１の場合と同様である。尚、本人２の死亡連絡は、実施例２の場合のように電話連絡とすることももちろん可能である。
【００５９】
また、本実施例４係る弔事後メッセージ配達システム１Ｃによれば、本人が遺族に前もって連絡していない場合においても、実施例１に係る弔事後メッセージ配達システム１の場合と同様、死亡した本人２から生前懇意な関係にあった知人等のような名宛人６０にその死亡後において感謝文等を厳格な確実性をもって電報にて配達することができ、誤って生前に名宛人付き弔事後メッセージ電報が配達されるというような不都合を無くすことができる。
【００６０】
また、電報を受け取った名宛人６０においても、電報の紙面に記載された弔事後メッセージを直ちに視覚にて読み込み故人を偲ぶことができるとともに、永く保存して故人を思い返すこともできる。
【００６１】
（実施例５）
本発明の実施例５に係る弔事後メッセージ配達システム１Ｄについて、図９、図１０を参照して説明する。
【００６２】
本実施例５に係る弔事後メッセージ配達システム１Ｄは、基本的構成は図１、図２に示す実施例１に係る弔事後メッセージ配達システム１の場合と略同様であり、実施例１の場合と同一の要素には、同一の符号を付して示す。
【００６３】
本実施例５に係る弔事後メッセージ配達システム１Ｄは、本人２が弔事後メッセージ本文として文字数に制限されることのないテキスト文字を作成し、更に図示しないが本人２の姿等の画像を含ませた名宛人付弔事後メッセージを作成して、既述した場合と同様にしてコンピュータ装置１１に送信し、また、遺族２は既述した場合と同様にして本人２の死亡連絡を行い、コンピュータ装置１１において前記名宛人付き弔事後メッセージを記録した記録媒体２９を作成し、これを配達報処理機関８０により名宛人６０に配達するように構成したシステムである。名宛人付き弔事後メッセージを記録した記録媒体２９を受け取った名宛人が遺族である場合には、死亡した本人２からの感謝の言葉や死亡後の故人の意思等を表示して遺族に伝言することができる。
【００６４】
すなわち、本実施例５に係る弔事後メッセージ配達システム１Ｄは、図９、図１０に示すように。管理機関１０のコンピュータ装置１１に対して弔事後メッセージ委託者の死亡連絡を行なう遺族４の通信端末７０として、情報作成・通信処理端末５、一般電話６１又は携帯電話６２を用いること、管理機関１０のコンピュータ装置１１に、管理機関側電話２５と、死亡確認後における当該会員の図３に示す場合と同様な名宛人付き弔事後メッセージを記録した例えばＣＤ−ＲＯＭ等の記録媒体２９を作成する記録媒体作成手段２７と、前記弔事後メッセージ電報処理手段１７に替えて記録媒体作成手段２７にて作成した記録媒体２９の名宛人６０への発送依頼を行う弔事後メッセージ発送依頼手段２８とを設けたこと、前記電報処理機関３０に替えて、管理機関１０のコンピュータ装置１１からの発送依頼に基づき前記記録媒体２９を名宛人６０に配達する例えば郵便局等の配達報処理機関８０を含ませたこと、が特徴である。この他の構成、作用は実施例１の場合と同様である。
【００６５】
本実施例５に係る弔事後メッセージ配達システム１Ｄによれば、実施例１に係る弔事後メッセージ配達システム１の場合と同様、死亡した本人２から生前懇意な関係にあった知人等のような名宛人６０に対して、その死亡確認後において確実にテキスト文字や画像を含む名宛人付き弔事後メッセージを記録した記録媒体２９を届けることができ、受け取った名宛人６０においても、記録媒体２９をパソコン等により再生することで、視覚にて読み込み故人を偲ぶことができるとともに、永く保存して故人を思い返すこともできる。前記したように、名宛人付き弔事後メッセージを記録した記録媒体２９を受け取った名宛人が遺族である場合には、死亡した本人２からの感謝の言葉や死亡後の故人の意思等を表示して遺族に伝言することができる。
【産業上の利用可能性】
【００６６】
本発明は、上述した場合の他、本人死亡後において友人、知人等々に対して電報に替えて、手紙や、感謝の品、感謝メール等を送るシステムとする等の応用が可能である。
【図面の簡単な説明】
【００６７】
【図１】本発明の実施例１に係る弔事後メッセージ配達システムの全体構成を示す概略図である。
【図２】本実施例１に係る弔事後メッセージ配達システムのコンピュータ装置の詳細ブロック図である。
【図３】本実施例１に係る弔事後メッセージ配達システムにおける名宛人付き弔事後メッセージの一例を示す図である。
【図４】本実施例１に係る弔事後メッセージ配達システムの処理の流れを示す説明図である。
【図５】本発明の実施例２に係る弔事後メッセージ配達システムの構成を示す概略ブロック図である。
【図６】本発明の実施例３に係る弔事後メッセージ配達システムのコンピュータ装置の詳細ブロック図である。
【図７】本実施例３に係る弔事後メッセージ配達システムの処理の流れを示す説明図である。
【図８】本発明の実施例４に係る弔事後メッセージ配達システムの処理の流れを示す説明図である。
【図９】本発明の実施例５に係る弔事後メッセージ配達システムの全体構成を示す概略図である。
【図１０】本実施例５に係る弔事後メッセージ配達システムのコンピュータ装置の詳細ブロック図である。
【符号の説明】
【００６８】
１    弔事後メッセージ配達システム
１Ａ  弔事後メッセージ配達システム
１Ｂ  弔事後メッセージ配達システム
１Ｃ  弔事後メッセージ配達システム
２    本人
３    情報作成・通信処理端末
４    遺族
５    情報作成・通信処理端末
１０    管理機関
１１    コンピュータ装置
１２    通信処理手段
１３    会員登録処理手段
１４    弔事後メッセージ処理手段
１５    死亡確認手段
１６    弔事後メッセージ電報処理手段
１７    課金処理手段
１８    記録手段
１９    装置内通信網
２０    会員情報データベース
２１    弔事後メッセージデータベース
２２    死亡確認情報データベース
２３    データベース制御手段
２４    Ｗｅｂサーバ
２５    管理機関側電話
２６    連絡者情報処理手段
２７    記録媒体作成手段
２８    弔事後メッセージ発送依頼手段
２９    記録媒体
３０    電報処理機関
３１    電報処理機関端末
４０    通信網
４１    通信網
５０    金融機関
５１    金融機関端末
６０    名宛人
６１    一般電話
６２    携帯電話
６３    電話網
７０    通信端末
８０    配達報処理機関
【図１】
2009009348.tif 000003
【図２】
2009009348.tif 000004
【図３】
2009009348.tif 000005
【図４】
2009009348.tif 000006
【図５】
2009009348.tif 000007
【図６】
2009009348.tif 000008
【図７】
2009009348.tif 000009
【図８】
2009009348.tif 000010
【図９】
2009009348.tif 000011
【図１０】
2009009348.tif 000012